(57)【要約】【課題】遊技機の組立作業に要する手間や時間を増やすことなく、保護カバーで不正行為の防止が図れるようになる遊技機の提供。【解決手段】保護カバー70でハーネス58の接続部分及びコネクタソケット59の周囲の隙間11を覆い、外部から筐体20の内部に挿入された針金等の線条器具がハーネス58の接続部分や収納ボックス51内の電子回路に接触できないようにし、不正行為を未然に防止する。ここで、収納ボックス51及び保護カバー70に、互いに係止しあう係止孔82及び係止突起81を設け、固定具60の抜止部65で、保護カバー70を押さえ込んで、保護カバー70が収納ボックス51から離れないようにする。これにより、保護カバー70は、収納ボックス51へのネジ等による固定が不要となり、スロットマシン10の組立作業に要する手間や時間が増えなくなるうえ、膨出部72の閉め忘れも未然に防止される。【選択図】    図３
2006325873.tif 000002
【特許請求の範囲】
【請求項１】
正面が開口された六面体の箱状に形成されるとともに遊技用の装置を収納するための筐体と、保護用の収納ボックスの内部に電子回路が収納された遊技用の装置としての電子装置とを備え、前記電子装置が前記筐体の内部に取り付けられている遊技機であって、
前記収納ボックス内の前記電子回路を外部と電気的に接続するケーブルの端部に設けられたコネクタプラグを受けるために、前記収納ボックスの表面に露出して設けられたコネクタソケットと、
外部から進入してきた器具が接触不可能となるように、連結状態の前記コネクタソケット及び前記コネクタプラグを覆うとともに、前記ケーブルを挿通させる挿通部が設けられている保護カバーと、
前記筐体に前記収納ボックスを固定するために、前記筐体に固定される第１固定部及び前記収納ボックスに固定される第２固定部を有する固定具とを備え、
前記保護カバー及び前記収納ボックスには、前記保護カバーが前記収納ボックスの表面に沿って移動しないように、互いに係止しあう凹凸係止部がそれぞれ設けられ、
前記固定具には、前記第２固定部が前記収納ボックスに固定されると、前記保護カバー側の凹凸係止部が前記収納ボックス側の凹凸係止部から抜けないように、前記保護カバーを前記収納ボックスの表面から離れないように押さ込む抜止部が設けられていることを特徴とする遊技機。
【請求項２】
前記コネクタソケットは、前記電子装置の前記収納ボックスの上面に設けられ、
前記収納ボックスの上面には、前記凹凸係止部として複数の係止孔が設けられ、
前記保護カバーには、前記収納ボックスの前記複数の係止孔に対応して設けられるとともに対応する係止孔の内部に挿通される複数の係止突起が凹凸係止部として設けられ、
これらの係止突起の各々には、前記収納ボックスに設けられた前記係止孔の内部に当該係止突起が挿通されると、当該係止孔を囲む周縁部の裏側に掛止されるように形成された掛止爪が設けられていることを特徴とする請求項１記載の遊技機。
【請求項３】
前記保護カバーは、その長手方向の間の位置に設けられるとともに、当該位置を挟んだ両側の部分の一方を他方に対して回動可能に連結するヒンジ部と、このヒンジ部の一方の側を形成するとともに、連結状態の前記コネクタソケット及び前記コネクタプラグを内部に収納可能な溝形断面を有する膨出部と、前記ヒンジ部の他方の側を形成するとともに、前記収納ボックスの上面において、前記コネクタソケットよりも前記筐体の開口に近い位置に固定される回動支持部とを備え、前記回動支持部を前記収納ボックスの上面に固定した状態で、前記コネクタソケット及び前記コネクタプラグを内部に隠蔽する閉鎖位置、及び、前記コネクタソケット及び前記コネクタプラグを外部に露出する開放位置の二位置の間を、前記膨出部が回動可能となっているものとされ、
前記挿通部は、溝形断面を有する前記膨出部の下方開口と連続するとともに、前記膨出部が閉鎖位置に配置されると、前記筐体の開口とは反対を向くように前記膨出部における前記筐体の開口とは反対側の端部に設けられ、
複数の係止突起は、前記膨出部及び前記回動支持部の両方に設けられ、このうち、前記膨出部に設けられた前記係止突起は、前記膨出部における前記筐体の開口とは反対側の端部において、前記挿通部の両側に設けられていることを特徴とする請求項２記載の遊技機。
【発明の詳細な説明】
【技術分野】
【０００１】
本発明は、内部に設けられている各装置に電力を供給する電源装置等の電子回路を含んで構成された電子装置を備えたパチンコ機やスロットマシン等の遊技機に関する。
【背景技術】
【０００２】
従来から、パチンコ機やスロットマシン等の遊技機は、遊技の進行に係る遊技動作を制御するために、ＣＰＵチップやＲＯＭ等の半導体素子を含んで構成された電子装置が設けられたものとなっている。また、遊技機には、遊技動作を制御するための電子装置に電力を供給するために電源装置が設けられている。ここで、電源装置としては、一定電圧を維持した状態で電力を安定供給することができるように、電力制御用のスイッチング素子を用いた電子装置であるものが採用されている。
このような電子装置としては、電子回路が形成された基板を、金属あるいは合成樹脂等からなる保護用のボックスの内部に収納したものが採用されるのが一般的である。
【０００３】
これらの電子装置を電気的に接続するためのケーブルとしては、ケーブルの着脱が容易に行えるように、コネクタプラグが端部に設けられたものが採用されている。また、電子装置に備えられた保護用ボックスの表面には、ケーブルのコネクタプラグを受けるために、コネクタソケットが露出して設けられている。
上述の遊技機は、複数の電子装置を相互に電気接続するケーブルを通じて、必要な電子装置や機器に制御信号が電力が送られるようになっているので、導電性を有する金属片等をコネクタプラグ又はコネクタソケットの電極に接触させることにより、当該電極を短絡したり接地させたりすれば、前述の電子装置を誤動作させることができる。
【０００４】
このため、導電性を有する細長い線条器具を利用して、前述の電子装置を誤動作させることにより、実際には入賞していないのに、遊技機に遊技球やメダルを不正に払い出させる不正行為が行われることがある。
例えば、針金やピアノ線等の線条器具を遊技機の前扉の隙間から押し込んで遊技機の筐体内部に進入させて、コネクタソケット等の電極に接触させ、遊技球やメダルの払出を行う払出装置や、その制御装置である電子装置を誤動作させれば、入賞しなくとも遊技球やメダルを次々に遊技機に払い出させることができ、このような不正行為により、大量の遊技球やメダルを短時間に容易に得ることができる。
【０００５】
ここで、遊技機としては、コネクタプラグが連結された状態のコネクタソケットをコネクタプラグとともに、内部に収納することができる保護カバーを備えたスロットマシンが知られている。（特許文献１参照）。
このような保護カバーでコネクタプラグ及びコネクタソケットを覆えば、外部から筐体の内部に挿入された線条器具がコネクタプラグ又はコネクタソケットの電極に接触できなくなるので、前述の保護カバーで線条器具による電子装置の誤動作防止を図れば、前述の不正行為を有効に防止することができる。
また、このような保護カバーは、電子装置が有する保護用ボックスの表面に露出して設けられたコネクタソケット、及び、このコネクタソケットに連結されたコネクタプラグの両方を覆うことができるので、コネクタソケットが電子装置に直接設けられている場合にも、前述の不正行為を有効に防止することができる。
【特許文献１】特開２００５−７３８６０号公報（図８）
【発明の開示】
【発明が解決しようとする課題】
【０００６】
前述のように、コネクタプラグ及びコネクタソケットを覆うカバーを設け、この保護カバーで線条器具による電子装置の誤動作防止を確実に図るようにするには、外部から筐体の内部に進入させた線条器具では、保護カバーを開けることができないように、ネジ等で保護カバーを確実に固定する必要がある。
このため、保護カバーで不正行為の防止を図ろうとすると、遊技機を組み立てる際に、ネジ等による固定箇所が増え、遊技機の組立作業に要する手間や時間が増え、ひいては、製造コストを増加させるという問題がある。
そこで、各請求項にそれぞれ記載された各発明は、上記した従来の技術の有する問題点に鑑みてなされたものであり、その目的とするところは、遊技機の組立作業に要する手間や時間を増やすことなく、保護カバーで不正行為の防止が図れるようになる遊技機を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、正面が開口された六面体の箱状に形成されるとともに遊技用の装置を収納するための筐体(20)と、保護用の収納ボックス(51)の内部に電子回路が収納された遊技用の装置としての電子装置(50)とを備え、前記電子装置(50)が前記筐体(20)の内部に取り付けられている遊技機(10)であって、前記収納ボックス(51)内の前記電子回路を外部と電気的に接続するケーブル(58)の端部に設けられたコネクタプラグを受けるために、前記収納ボックス(51)の表面に露出して設けられたコネクタソケット(59)と、外部から進入してきた器具が接触不可能となるように、連結状態の前記コネクタソケット(59)及び前記コネクタプラグを覆うとともに、前記ケーブル(58)を挿通させる挿通部(75)が設けられている保護カバー(70)と、前記筐体(20)に前記収納ボックス(51)を固定するために、前記筐体(20)に固定される第１固定部(61)及び前記収納ボックス(51)に固定される第２固定部(62)を有する固定具(60)とを備え、前記保護カバー(70)及び前記収納ボックス(51)には、前記保護カバー(70)が前記収納ボックス(51)の表面に沿って移動しないように、互いに係止しあう凹凸係止部(81, 82)がそれぞれ設けられ、前記固定具(60)には、前記第２固定部(62)が前記収納ボックス(51)に固定されると、前記保護カバー(70)側の凹凸係止部(81)が前記収納ボックス(51)側の凹凸係止部(82)から抜けないように、前記保護カバー(70)を前記収納ボックス(51)の表面から離れないように押さ込む抜止部(65)が設けられていることを特徴とする。
【０００８】
（請求項２）
（特徴点）
請求項２記載の発明は、前述した請求項１に記載の発明において、次の特徴点を備えているものである。
すなわち、請求項２記載の発明は、前記コネクタソケット(59)が前記電子装置(50)の前記収納ボックス(51)の上面に設けられ、前記収納ボックス(51)の上面には、前記凹凸係止部として複数の係止孔(82)が設けられ、前記保護カバー(70)には、前記収納ボックス(51)の前記複数の係止孔(82)に対応して設けられるとともに対応する係止孔(82)の内部に挿通される複数の係止突起(81)が凹凸係止部として設けられ、これらの係止突起(81)の各々には、前記収納ボックス(51)に設けられた前記係止孔(82)の内部に当該係止突起(81)が挿通されると、当該係止孔(82)を囲む周縁部の裏側に掛止されるように形成された掛止爪(83)が設けられていることを特徴とする。
【０００９】
（請求項３）
（特徴点）
請求項３記載の発明は、前述した請求項２に記載の発明において、次の特徴点を備えているものである。
すなわち、請求項３記載の発明は、前記保護カバー(70)として、その長手方向の間の位置に設けられるとともに、当該位置を挟んだ両側の部分の一方を他方に対して回動可能に連結するヒンジ部(73)と、このヒンジ部(73)の一方の側を形成するとともに、連結状態の前記コネクタソケット(59)及び前記コネクタプラグを内部に収納可能な溝形断面を有する膨出部(72)と、前記ヒンジ部(73)の他方の側を形成するとともに、前記収納ボックス(51)の上面において、前記コネクタソケット(59)よりも前記筐体(20)の開口に近い位置に固定される回動支持部(71)とを備え、前記回動支持部(71)を前記収納ボックス(51)の上面に固定した状態で、前記コネクタソケット(59)及び前記コネクタプラグを内部に隠蔽する閉鎖位置、及び、前記コネクタソケット(59)及び前記コネクタプラグを外部に露出する開放位置の二位置の間を、前記膨出部(72)が回動可能となっているものが採用され、前記挿通部(75)は、溝形断面を有する膨出部(72)の下方開口と連続するとともに、前記膨出部(72)が閉鎖位置に配置されると、前記筐体(20)の開口とは反対を向くように前記膨出部(72)における前記筐体(20)の開口とは反対側の端部に設けられ、複数の係止突起(81)は、前記膨出部(72)及び前記回動支持部(71)の両方に設けられ、このうち、前記膨出部(72)に設けられた前記係止突起(81)は、前記膨出部(72)における前記筐体(20)の開口とは反対側の端部において、前記挿通部(75)の両側に設けられていることを特徴とする。
【発明の効果】
【００１０】
（請求項１の効果）
以上のように構成されている本発明は、以下に記載されるような効果を奏する。
すなわち、請求項１記載の発明によれば、保護カバー及び収納ボックスに互いに係止しあう凹凸係止部を設けるとともに、収納ボックスを筐体に固定する固定具として、収納ボックスに固定されると、保護カバーを収納ボックスの表面から離れないように押さえ込む第２固定部を有する固定具を設けたので、保護カバー側の凹凸係止部を収納ボックス側の凹凸係止部に係止させた状態で、収納ボックスを固定具で筐体に固定すると、保護カバーが収納ボックスの表面から離れないように押さえ込まれるようになる。
【００１１】
ここで、保護カバーは、その凹凸係止部が収納ボックスの凹凸係止部から抜け止めされ、ネジ等で固定しなくとも、外部から筐体の内部に挿入された針金やピアノ線等の線条器具では、開けることが不可能となり、収納ボックスに確実に固定される。これにより、保護カバーの内部に線条器具が進入できなくなり、当該線条器具による電子装置の誤動作が確実に防止され、不正行為の防止が確実に図れるようになる。
そして、収納ボックスを固定具で筐体に固定すると、保護カバーが自動的且つ確実に収納ボックスに固定され、これにより、保護カバーを収納ボックスに固定するにあたり、ネジ等の固定箇所が不要となるので、ネジ等による固定箇所が増えることがなく、遊技機の組立作業に要する手間や時間も増えることがなくなり、遊技機の組立作業に要する手間や時間を増やすことなく、保護カバーで不正行為の防止が確実に行えるようになる。
【００１２】
また、収納ボックスの表面においてコネクタソケットの周囲に隙間が形成されても、当該隙間は保護カバーで覆われるので、コネクタソケットの周囲に形成されている隙間から収納ボックスの内部に前述の線条器具が進入することがない。
このため、収納ボックスの内部に設けられたプリント基板のパターン配線や電極等、収納ボックス内の電子回路の一部に、外部から進入してきた線条器具が電気的に接触することが未然に防止されるようになるので、この点からも、当該線条器具による電子装置の誤動作が確実に防止され、不正行為の防止が確実に図れるようになる。
（請求項２の効果）
請求項２記載の発明によれば、上記した請求項１記載の発明の効果に加え、次のような効果を奏する。
【００１３】
すなわち、請求項２記載の発明によれば、収納ボックス側に係止孔を設け、この係止孔の裏側に掛止される掛止爪が設けられた係止突起を保護カバー側に設け、保護カバーの係止突起を収納ボックスの係止孔に挿通させると、保護カバーの係止突起に設けた掛止爪が収納ボックスの係止孔に掛止されるようにしたので、収納ボックスを固定具で筐体に固定する固定作業を行うにあたり、事前に、保護カバーを収納ボックスに簡易的に固定でき、保護カバーが収納ボックスに簡易的に固定された状態で、収納ボックスの筐体への固定作業を行うことができる。これにより、収納ボックスの筐体への固定作業の途中で、保護カバーが収納ボックスから脱落する等のトラブルが生じることなく、収納ボックスを筐体に容易且つ迅速に固定することができる。
【００１４】
（請求項３の効果）
請求項３記載の発明によれば、保護カバーの長手方向における中間部分にヒンジ部を設け、その両側に回動支持部及び膨出部を設けたので、回動支持部に対して膨出部を回動させれば、回動支持部側の係止突起のみを収納ボックスの係止孔に挿通して、回動支持部のみを収納ボックスに簡易固定することができる。
また、保護カバーの膨出部に設けられている係止突起は、挿通部の両側に配置されているので、挿通部をその間に挟む膨出部の端部を押圧すれば、膨出部が弾性変形して、挿通部の両側に配置された係止突起の先端は、互いに近づく方向に変位するようになる。
【００１５】
このため、挿通部の両側に配置された係止突起の先端に設けられる掛止爪を、互いに反対方向となるように外側に向けて突出させておけば、収納ボックスの係止孔内に膨出部の係止突起を挿通し、当該係止孔の裏側に掛止爪を掛止させて、膨出部を収納ボックスに簡易的に固定することができるうえ、挿通部の両側に配置された膨出部の側壁端部を押圧することにより、係止孔による掛止爪の掛止を解除することができ、膨出部を収納ボックスから容易且つ迅速に離脱させることができる。
これにより、メンテナンス作業等のために、コネクタソケットからコネクタプラグを取り外す際に、保護カバーの膨出部を容易に開放することができ、メンテナンス作業等の便宜が図れるうえ、膨出部の開閉の際に、保護カバー全体が収納ボックスから完全に離脱することがないので、コネクタプラグを取り外す必要がなるメンテナンス等の作業を何度行っても、収納ボックスから取り外されたことによる保護カバーの紛失を未然に防止することができる。
【００１６】
また、コネクタソケットやコネクタプラグを露出させる開放位置に膨出部が配置された状態にすると、膨出部は、保護カバーの表面から突出する立ち姿勢となる。
ここで、固定具の第２固定部は、少なくとも保護カバーの膨出部を収納ボックスの表面から離れないように押さ込むものとなるので、膨出部が開いて立ち姿勢となっていると、固定具の第２固定部を収納ボックスに固定するにあたり、膨出部に第２固定部が干渉し、第２固定部を収納ボックスの表面に固定することができない。
従って、膨出部を開放状態にしたまま固定具で電子装置を筐体に取り付けることができなくなるので、固定具で電子装置を筐体に取り付ける前に、膨出部を必ず閉じるようになり、膨出部の閉め忘れを未然に防止することができる。
【発明を実施するための最良の形態】
【００１７】
以下に、本発明を実施するための最良の形態である一実施形態について、図面に基づいて説明する。
図１から図５までの図面は、本実施形態を示すものである。図１は、本実施形態に係る遊技機としてのスロットマシンを示す正面図、図２は、本実施形態に係るスロットマシンの前扉が開いた状態を示す斜視図、図３は、本実施形態の要部を示す拡大斜視図、図４は、本実施形態の要部を示す分解斜視図、図５は、本実施形態に係る保護カバーを示す側面図（Ａ）及び背面図（Ｂ）である。
［スロットマシン10］
本実施形態に係る遊技機であるスロットマシン10は、図１及び図２の如く、略六面体の箱状に形成された筐体20を備えている。この筐体20は、３個の回転リール41が横並びに設けられたリールユニット40等の遊技用装置を収納するものとなっている。なお、回転リール41の各々は、リールユニット40に回転駆動可能に設けられ、且つ、それぞれの周面に複数種類の図柄が記されたものとなっている。
【００１８】
また、筐体20の前面開口部には、図１の如く、そのほぼ中央に窓部としてのリール窓42を備えた前扉30が当該前面開口部を覆うように設けられている。
前扉30に設けられたリール窓42は、３個の回転リール41に記された図柄を外部に露出させるための窓であり、３個すべての回転リール41の回転が停止した際に、縦横３個ずつ配列された計９個の図柄が表示できるように形成されている。
リール窓42の下方近傍には、左側から、貯留メダルを１枚ずつ投入するためのベットスイッチ33と、回転リール41の回転を開始させるためのスタートスイッチ35と、貯留メダルを３枚ずつ投入するためのマックスベットスイッチ34と、３個の回転リール41の回転をそれぞれ停止させる３個のストップスイッチ36と、メダルが投入されるメダル投入口31とが設けられている。
【００１９】
また、前扉30の下部には、入賞時にメダルを払い出すための払出口32が設けられている。この払出口32の下方には、受け皿39が設けられ、払出口32の図中右方には、演出音等を発するスピーカ38が設けられている。一方、前扉30の上部には、入賞時などに点滅する演出用ランプ37等が設けられている。
前扉30の裏面には、図２の如く、メダル投入口31に対応する位置に配置されるとともに、メダル投入口31に投入されたメダルを誘導しながらメダルの真贋を判定するメダルセレクタ43等が設けられている。
筐体20は、正面が開口された六面体の箱状に形成されるとともに遊技用の装置を収納するため部材である。この筐体20には、スロットマシン10の背部に配置された長方形状の背板24の四方を囲むように、底部の底板21と、天井部の天板22と、両側に配置された一対の側板23とが備えられている。
【００２０】
筐体20の内部には、前述したリールユニット40の他に、スロットマシン10の遊技における動作を制御する図示しない制御装置と、メダルセレクタ43を通過したメダルを受け止めて貯留しておくとともに、貯留しているメダルを入賞時に払出口32から払い出すためのホッパーユニット44と、前述の制御装置やホッパーユニット44等に電力を供給するための電源装置50とが収納されている。
［電源装置50］
電源装置50は、電圧を変動させずに電力を他の装置に安定供給するために、電力制御用のスイッチング素子等を含んだ図示しない電子回路と、この電子回路を内部に収納する収納ボックス51とを備えた電子装置である。
【００２１】
収納ボックス51は、図３に示すように、スロットマシン10全体の電源の入り切り行うための電源スイッチ52を支持する箱状の部材となっている。この収納ボックス51の正面に配置されたフロントパネル51A には、電源スイッチ52の他に、フロントパネル51A の表面から庇状に突出して、電源スイッチ52の上方を覆う鍔部53と、電源のＯＮ／ＯＦＦ状態を表示するパイロットランプ54と、設定変更操作の禁止状態を解除する操作が行えるキースイッチ55と、ホッパーユニット44等の操作を行うための押しボタンスイッチ56と、電源スイッチ52を覆うためのカバー部材57とが設けられている。
このうち、キースイッチ55は、当該キースイッチ55に設けられた鍵穴55A に、図示しないキーを差し込まれていない状態では、当該キースイッチ55により設定された設定変更操作の禁止状態を解除することができないようになっている。
【００２２】
カバー部材57は、上下方向に沿って摺動可能にフロントパネル51A に取り付けられている。これにより、カバー部材57は、電源スイッチ52を覆う隠蔽位置及び電源スイッチ52を露出させる露出位置の二位置間を移動可能とされ、電源スイッチ52を覆う位置に配置されることにより、電源スイッチ52の操作を不可能にするものとなっている。
また、電源装置50の収納ボックス51は、筐体20の内部において、側面形状がＬ字形状の固定具60により、その上面部分が筐体20の図２中左側の側板23に固定されている。
電源装置50の電子回路は、収納ボックス51の内部に収納され、当該電源装置50から電力の供給を受ける他の装置とは、複数のケーブルを束ねたハーネス58を介して電気的に接続されている。このハーネス58の端部には、電源装置50との連結及び離脱が任意に行えるように、図示しないコネクタプラグが設けられている。
【００２３】
収納ボックス51の上面には、ハーネス58の端部に設けられている前述のコネクタプラグを受けるコネクタソケット59が露出して設けられている。そして、このコネクタソケット59に、外部から進入してきた器具が接触不可能となるように、前述のコネクタプラグが連結された状態のコネクタソケット59を覆う保護カバー70が収納ボックス51の上面に取り付けられるようになっている。
［保護カバー70］
保護カバー70は、図３〜図５に示すように、略平板状に形成された回動支持部71と、連結状態のコネクタプラグ及びコネクタソケット59を内部に収納可能な溝形断面を有する膨出部72とを備えたものとなっている。
【００２４】
また、保護カバー70は、筐体20の側板23に沿った方向に延びる細長い長方形状の平面形状を有するものである。保護カバー70の長手方向の中間位置には、この中間位置を挟んで、その両側に配置されている回動支持部71及び膨出部72の一方を他方に対して回動可能に連結するヒンジ部73が設けられている。なお、このヒンジ部73の一方の側、具体的には、コネクタソケット59よりも筐体20の開口に近い位置に回動支持部71が設けられ、ヒンジ部73の他方の側、具体的には、当該ヒンジ部73よりも筐体20の背板24に近い位置に膨出部72が設けられている。
回動支持部71は、図４及び図５に示すように、回動されることを前提に設けられた膨出部72に対し、収納ボックス51の上面に固定され、回動される膨出部72を支持ことを前提に設けられたものである。
【００２５】
膨出部72は、コネクタソケット59等を内部に隠蔽する閉鎖位置、及び、コネクタソケット59等を外部に露出する開放位置の二位置の間を回動可能となっている。
そして、膨出部72には、収納ボックス51の上面及び筐体20の背板24のそれぞれと対向する面が開口され、これらの開口と対向する部分が閉鎖されている。
膨出部72の開口のうち、収納ボックス51の上面と対向する開口は、膨出部72が閉鎖位置に配置された状態において、コネクタソケット59等を挿通させるソケット挿通部74となっている。
一方、膨出部72の開口のうち、筐体20の背板24と対向する開口は、ソケット挿通部74と連続するとともに、膨出部72が閉鎖位置に配置された状態において、ケーブルの束であるハーネス58を挿通させるハーネス挿通部75となっている。
【００２６】
このような膨出部72は、ソケット挿通部74を周囲のうち、ハーネス挿通部75が設けられていない部位に形成された鍔部76A 〜76C が設けられている。
これらの鍔部76A 〜76C は、膨出部72の側面からの突出寸法がそれぞれ相違している。また、鍔部76A 〜76C の各々は、回動支持部71と同じ厚さ寸法を有し、膨出部72が閉鎖位置に配置された状態において、その上面が回動支持部71の上面と同一平面を形成するものとなっている。これらの鍔部76A 〜76C のうち、筐体20の側板23に沿って延びる膨出部72の側面から突出する鍔部76A は、側面からの突出寸法が充分に確保された細長い長方形状の平面形を有するものとなっている。
【００２７】
ヒンジ部73は、膨出部72を回動させる際に変形する部位であり、膨出部72の鍔部76B 及び回動支持部71となる平板状部位にＶ字形の溝を設けることにより形成されている。
更に詳しく説明すると、ヒンジ部73は、Ｖ字形溝の底に相当する部分の厚さ寸法が充分小さくされ、これにより、容易に変形可能とされているとともに、変形を繰り返しても破断しにくくなっている。このようなヒンジ部73により、膨出部72の回動が容易に行えるようになっている。
ここで、保護カバー70及び収納ボックス51の上面部分には、保護カバー70を収納ボックス51の上面に密着した状態にすると、保護カバー70が収納ボックス51の上面部分の表面に沿って移動しないように、互いに係止しあう凹凸係止部（81, 82）がそれぞれ設けられている。
【００２８】
すなわち、収納ボックス51の上面には、図４の如く、前述の凹凸係止部として複数、具体的には、４個の係止孔82が設けられている。
一方、保護カバー70には、図４及び図５の如く、収納ボックス51に設けられた複数の係止孔82に対応して設けられるとともに、対応する係止孔82の内部に挿通される複数の係止突起81が凹凸係止部として設けられている。具体的には、保護カバー70には、４個の係止突起81が設けられている。
これらの係止突起81の各々は、保護カバー70の長方形状に形成された平面形の四隅にそれぞれ配置されている。換言すると、係止突起81は、４個のうち２個が回動支持部71側の端部に配置され、残りの二個が膨出部72側の端部に配置されたものとなっている。
【００２９】
これらの係止突起81の各々は、図５（Ｂ）の如く、先細りとなった楔状の掛止爪83が先端に設けられたものとなっている。
掛止爪83のうち、長方形状の平面形を有する保護カバー70の同じ長辺に設けられた掛止爪83同士は、その楔状の傾斜部分が同じ方向へ向くように形成され、保護カバー70の同じ短辺に設けられた掛止爪83は、その楔状の傾斜部分が互いに反対に向くように、換言すれば、膨出部72の外側を向くように形成されている。これにより、係止突起81が収納ボックス51の上面に設けられた係止孔82の内部に挿通されると、各掛止爪83が各係止孔82を囲む周縁部位の裏側と係合して、当該周縁部位の裏側に掛止され、保護カバー70を収納ボックス51に簡易的に固定するようになっている。
【００３０】
また、膨出部72に設けられた係止突起81は、膨出部72における筐体20の開口とは反対側の端部において、ハーネス挿通部75の両側に設けられている。換言すると、膨出部72に設けられた係止突起81は、ハーネス挿通部75の両側に設けられている膨出部72の側壁部72A の底端面における、ハーネス挿通部75の両側に相当する位置に突設されている。
ここで、膨出部72に設けられた係止突起81が収納ボックス51の係止孔82内に挿通され、これにより、その掛止爪83が係止孔82の裏側に掛止されても、所定の操作により、係止孔82による掛止爪83の掛止は、容易且つ迅速に解除できるようになっている。
すなわち、膨出部72に設けられた係止突起81は、側壁部72A のハーネス挿通部75側の端部を押圧することにより、互いに近づく方向に容易に変位可能となっている。そして、これらの係止突起81を互いに近づく方向に変位させる操作を行えば、係止孔82による掛止爪83の掛止は、容易且つ迅速に解除可能となっている。
【００３１】
そして、膨出部72は、一旦閉じられても、その側壁部72A の端部を両側から押圧する操作を行うことにより、その係止突起81が収納ボックス51の係止孔82から引き抜いて、容易に開くことが可能となっている。これにより、膨出部72は、閉じる操作が容易且つ迅速に行えるだけでなく、所定の操作により容易且つ迅速に開放できるようになっている。
［固定具60］
固定具60は、図３及び図４に示すように、筐体20に収納ボックス51を固定するために、筐体20の側板23に固定される第１固定部61及び収納ボックス51の上面に固定される第２固定部62を備えている。
【００３２】
第１固定部61は、筐体20の側板23に形成されたネジ孔84に螺合するネジ85が挿通される挿通孔63が設けられ、ネジ85により側板23に固定されるものとなっている。
第２固定部62は、収納ボックス51の上面に形成されたネジ孔86に螺合するネジ87が挿通される挿通孔64が設けられ、ネジ87により収納ボックス51の上面に固定されるものとなっている。
このうち、第２固定部62には、当該第２固定部62が収納ボックス51に固定されると、保護カバー70側の係止突起81が収納ボックス51側の係止孔82から抜けないように、保護カバー70が収納ボックス51の上面部分の表面から離れないように、保護カバー70を上から押さ込む抜止部65が設けられている。
【００３３】
すなわち、第２固定部62の先端部分は、断面がクランク状となるように折り曲げられ、これにより、抜止部65が形成されている。ここで、抜止部65には、断面がクランク状とされることにより段差が形成されている。そして、抜止部65の段差は、膨出部72の鍔部76B 及び回動支持部71の厚さに応じたものとなっている。
このような抜止部65は、膨出部72の鍔部76B 及び回動支持部71の両方にまたがって配置されるものである。抜止部65を膨出部72の鍔部76B 及び回動支持部71の両方にまたがらせた状態で、第２固定部62を収納ボックス51に固定すると、保護カバー70の膨出部72及び回動支持部71の両方が収納ボックス51の上面部分の表面から離れないように、抜止部65が膨出部72及び回動支持部71の両方を上から押さ込むようになっている。
【００３４】
前述のような本実施形態によれば、次のような効果が得られる。
すなわち、電源装置50の収納ボックス51及び保護カバー70に互いに係止しあう係止孔82及び係止突起81を設けるとともに、収納ボックス51を筐体20に固定する固定具60として、収納ボックス51に固定されると、保護カバー70を収納ボックス51の表面から離れないように押さえ込む第２固定部62を有する固定具60を設けたので、保護カバー70側の係止突起81を収納ボックス51側の係止孔82に係止させた状態で、収納ボックス51を固定具60で筐体20に固定すると、保護カバー70が収納ボックス51の表面から離れないように押さえ込まれるようになる。
【００３５】
ここで、保護カバー70は、その係止突起81が収納ボックス51の係止孔82から抜け止めされ、ネジ等で固定しなくとも、外部から筐体20の内部に挿入された針金やピアノ線等の線条器具では、開けることが不可能となり、収納ボックス51に確実に固定される。これにより、保護カバー70の内部に線条器具が進入できなくなり、当該線条器具による電源装置50の誤動作が確実に防止され、不正行為の防止が確実に図れるようになる。
そして、収納ボックス51を固定具60で筐体20に固定すると、保護カバー70が自動的且つ確実に収納ボックス51に固定され、これにより、保護カバー70を収納ボックス51に固定するにあたり、ネジ等の固定箇所が不要となるので、ネジ等による固定箇所が増えることがなく、スロットマシン10の組立作業に要する手間や時間も増えることがなくなり、スロットマシン10の組立作業に要する手間や時間を増やすことなく、保護カバー70で不正行為の防止を確実に行うことができる。
【００３６】
また、収納ボックス51の表面には、図４の如く、コネクタソケット59の周囲に僅かな隙間11が形成されしまうが、当該隙間11も保護カバー70で覆われるので、コネクタソケット59の周囲の隙間11から収納ボックス51の内部に前述の線条器具が進入することがない。
このため、収納ボックス51の内部に設けられた電子回路の一部、具体的には、当該電子回路が形成されたプリント基板のパターン配線や電極等に、外部から進入してきた線条器具が電気的に接触することを未然に防止することができる。このため、この点からも、当該線条器具による電子装置の誤動作が確実に防止され、不正行為の防止を確実に図ることができる。
【００３７】
また、収納ボックス51側に係止孔82を設け、この係止孔82の裏側に掛止される掛止爪83が設けられた係止突起81を保護カバー70側に設け、保護カバー70の係止突起81を収納ボックス51の係止孔82に挿通させると、保護カバー70の係止突起81に設けた掛止爪83が収納ボックス51の係止孔82の裏側に掛止されるようにしたので、収納ボックス51を固定具60で筐体20に固定する固定作業を行うにあたり、事前に、保護カバー70を収納ボックス51に簡易的に固定でき、保護カバー70が収納ボックス51に簡易的に固定された状態で、収納ボックス51の筐体20への固定作業を行うことができる。これにより、収納ボックス51の筐体20への固定作業の途中で、保護カバー70が収納ボックス51から脱落する等のトラブルが生じることなく、収納ボックス51を筐体20に容易且つ迅速に固定することができる。
【００３８】
さらに、保護カバー70の長手方向における中間部分にヒンジ部73を設け、その両側に回動支持部71及び膨出部72を設けたので、回動支持部71に対して膨出部72を回動させれば、回動支持部71側の係止突起81のみを収納ボックス51の係止孔82に挿通して、回動支持部71のみを収納ボックス51に簡易固定することができる。
また、保護カバー70の膨出部72に設けられている係止突起81は、ハーネス挿通部75の両側に配置されているので、ハーネス挿通部75をその間に挟む、膨出部72に設けられた側壁部72A の端部を押圧すれば、膨出部72の側壁部72A が弾性変形して、ハーネス挿通部75の両側に配置された係止突起81の先端は、互いに近づく方向に変位するようになる。
【００３９】
このため、ハーネス挿通部75の両側に配置された係止突起81の先端に設けられるとともに、互いに反対方向となるように外側に向けて突出する掛止爪83は、収納ボックス51の係止孔82内に膨出部72の係止突起81を挿通することにより、当該係止孔82の裏側に容易に掛止されるようになるので、膨出部72の収納ボックス51への簡易固定を容易に行うことができる。そのうえ、ハーネス挿通部75の両側に配置された膨出部72の側壁部72A の端部を押圧することにより、係止孔82による掛止爪83の掛止を容易に解除することができ、膨出部72を収納ボックス51から容易且つ迅速に離脱させることができる。
これにより、メンテナンス作業等のために、コネクタソケット59からコネクタプラグを取り外す際に、保護カバー70の膨出部72を容易に開放することができ、メンテナンス作業等の便宜が図れるうえ、膨出部72の開閉の際に、保護カバー70全体が収納ボックス51から完全に離脱することがないので、コネクタプラグを取り外す必要があるメンテナンス等の作業を何度行っても、収納ボックス51から取り外されたことによる保護カバー70の紛失を未然に防止することができる。
【００４０】
また、保護カバー70の膨出部72を開いた状態にしておくと、膨出部72が保護カバー60の上面から突出する立ち姿勢となり、この立ち姿勢では、固定具60の第２固定部62を収納ボックス51の上面に固定する際に、膨出部72が固定具60の第２固定部62と干渉し、第２固定部62を収納ボックス51の上面に固定することができない。
このため、膨出部72を開放状態にしたまま固定具60で電源装置50を筐体20に取り付けることができなくなるので、固定具60で電源装置50を筐体20に取り付ける前に、膨出部72を必ず閉じるようになり、これにより、膨出部72の閉め忘れを未然に防止することができる。
【００４１】
なお、本発明は、前記実施形態に限定されるものではなく、本発明の目的を達成できる範囲における変形及び改良などをも含むものである。
例えば、遊技機としては、スロットマシンに限らず、パチンコ機等の他の種類の遊技を行う遊技機でもよく、本発明は、不正行為がなされるおそれのある遊技機全般に適用することができる。
【図面の簡単な説明】
【００４２】
【図１】本発明の一実施形態に係る遊技機としてのスロットマシンを示す正面図である。
【図２】前記実施形態に係るスロットマシンの前扉が開いた状態を示す斜視図である。
【図３】前記実施形態の要部を示す拡大斜視図である。
【図４】前記実施形態の要部を示す分解斜視図である。
【図５】前記実施形態に係る保護カバーを示す二面図である。
【符号の説明】
【００４３】
10  遊技機としてのスロットマシン
20  筐体
50  電子装置としての電源装置
51  収納ボックス
58  ケーブルとしてのハーネス
59  コネクタソケット
60  固定具
61  第１固定部
62  第２固定部
65  抜止部
70  保護カバー
71  回動支持部
72  膨出部
73  ヒンジ部
75  挿通部としてのハーネス挿通部
81  凹凸係止部としての係止突起
82  凹凸係止部としての係止孔
83  掛止爪
【図１】
2006325873.tif 000003
【図２】
2006325873.tif 000004
【図３】
2006325873.tif 000005
【図４】
2006325873.tif 000006
【図５】
2006325873.tif 000007